(57)【要約】【課題】既存の部屋の構造に何ら手を加えることなく、極めて安価に、しかも使用者の好みや使用環境等に応じて簡単に短時間で設置でき、メンテナンスも容易に行なえる載置式たたみユニットを提供すること。【解決手段】上記課題を解決するために本発明の載置式たたみユニット１は、半畳サイズのたたみ要素３を単体ないし複数組み合わせることによって所望の畳数のたたみスペース５を形成する本体７と、適宜の形状の枠要素２３を単体ないし複数組み合わせることによって本体７の周囲を支持する支持枠２５と、半畳より一回り大きなサイズの底板要素４３を単体ないし複数組み合わせることによって支持枠２５内部に形成される収容スペース底面を閉塞する底板４５とを備えている。【選択図】              図１
2004197352.tif 000002
【特許請求の範囲】
【請求項１】
半畳サイズのたたみ要素を単体ないし複数組み合わせることによって所望の畳数のたたみスペースを形成する本体と、適宜の形状の枠要素を単体ないし複数組み合わせることによって本体の周囲を支持する支持枠と、半畳より一回り大きなサイズの底板要素を単体ないし複数組み合わせることによって支持枠内部に形成される収容スペース底面を閉塞する底板とを備えていることを特徴とする載置式たたみユニット。
【請求項２】
請求項１に記載の載置式たたみユニットにおいて、枠要素には床面等に直接載置される載置面と、たたみ要素の側面に当接し、たたみ要素を保持する保持面と、床面等と本体上面との段差をなくす傾斜面と、他の枠要素と組み合わせて使用する場合の接合面とが設けられていることを特徴とする載置式たたみユニット。
【請求項３】
請求項２に記載の載置式たたみユニットにおいて、傾斜面には滑り止め用の溝が枠要素の長さ方向に平行に延びるよう、複数本刻設されていることを特徴とする載置式たたみユニット。
【請求項４】
請求項２または３に記載の載置式たたみユニットにおいて、載置面には底板要素の周縁部を受け入れる段差凹部が形成されていることを特徴とする載置式たたみユニット。
【請求項５】
請求項３または４に記載の載置式たたみユニットにおいて、保持面の接合面寄りの部位には枠要素同士を接合する場合に必要に応じて使用される接合金具を受け入れる受入れ凹部が形成されていることを特徴とする載置式たたみユニット。
【請求項６】
請求項１〜５のいずれかに記載の載置式たたみユニットにおいて、底板要素の突合せ部には複数枚の底板要素を一体化すると共に突合せ部からの水等の漏出を防止する防水テープが貼設されていることを特徴とする載置式たたみユニット。
【発明の詳細な説明】
【０００１】
【発明の属する技術分野】
本発明は、例えば洋室の一部にたたみを使用した和風の空間を形成できる載置式たたみユニットに関するものである。
【０００２】
【従来の技術】
わが国における最近の住宅は、従来の和室を多く備える構成から、より機能的な洋室を多く採り入れる構成となっている。
また和と洋の区別は一般には部屋単位で行なわれており、洋室の一部に和風の空間が存在するというような構成は一般にはほとんど採用されていない。
【０００３】
しかしながら、居住者の好みや嗜好の変化により、あるいはアパートやマンション等の狭い居住空間の有効利用を図るため、洋室の一部にたたみを敷いた和風の空間を形成したいという場合がある。
この場合、設計当初からその意向が明確になっていれば問題はないが、建物が完成した後に出来上がった部屋の構成を変更しようとすれば大掛かりな改築工事になってしまう。またその改築費用も決してばかにならない。
また賃貸のアパートやマンション等にあっては部屋の改造等は禁じられている場合が多く、既製の間取りをそのまま甘受せざるを得ないという事情もある。
【０００４】
さらに、住宅以外でも特別養護老人ホーム、ケアハウス、リハビリテーション施設、デイサービス等を行なっている介護支援センター等において、被介護者にくつろぎを与える空間としてたたみを敷いた和風の空間を提供したいという場合も存在する。
この場合には上述した住宅における問題点に加え、介護用ベッドやポータブルトイレが設置できるか、車椅子等に乗って移動するのに支障はないか、失禁等によって汚れた場合の対策は十分であるか等も使用するための条件となる。
【０００５】
【発明が解決しようとする課題】
本発明は既存の部屋の構造に何ら手を加えることなく、極めて安価に、しかも使用者の好みや使用環境等に応じて簡単に短時間で設置でき、メンテナンスも容易に行なえる載置式たたみユニットを提供することを目的とするものである。
【０００６】
【課題を解決するための手段】
上記課題を解決するために請求項１記載の発明は、半畳サイズのたたみ要素を単体ないし複数組み合わせることによって所望の畳数のたたみスペースを形成する本体と、適宜の形状の枠要素を単体ないし複数組み合わせることによって本体の周囲を支持する支持枠と、半畳より一回り大きなサイズの底板要素を単体ないし複数組み合わせることによって支持枠内部に形成される収容スペース底面を閉塞する底板とを備えていることを特徴とする載置式たたみユニットである。
【０００７】
請求項２記載の発明は、請求項１に記載の載置式たたみユニットにおいて、枠要素には床面等に直接載置される載置面と、たたみ要素の側面に当接し、たたみ要素を保持する保持面と、床面等と本体上面との段差をなくす傾斜面と、他の枠要素と組み合わせて使用する場合の接合面とが設けられていることを特徴とする載置式たたみユニットである。
【０００８】
請求項３記載の発明は、請求項２に記載の載置式たたみユニットにおいて、傾斜面には滑り止め用の溝が枠要素の長さ方向に平行に延びるよう、複数本刻設されていることを特徴とする載置式たたみユニットである。
【０００９】
請求項４記載の発明は、請求項２または３に記載の載置式たたみユニットにおいて、載置面には底板要素の周縁部を受け入れる段差凹部が形成されていることを特徴とする載置式たたみユニットである。
【００１０】
請求項５記載の発明は、請求項３または４に記載の載置式たたみユニットにおいて、保持面の接合面寄りの部位には枠要素同士を接合する場合に必要に応じて使用される接合金具を受け入れる受入れ凹部が形成されていることを特徴とする載置式たたみユニットである。
【００１１】
請求項６記載の発明は、請求項１〜５のいずれかに記載の載置式たたみユニットにおいて、底板要素の突合せ部には複数枚の底板要素を一体化すると共に突合せ部からの水等の漏出を防止する防水テープが貼設されていることを特徴とする載置式たたみユニットである。
【００１２】
【発明の実施の形態】
以下、本発明の実施の形態に係る載置式たたみユニット１について説明する。
載置式たたみユニット１は半畳サイズのたたみ要素３を２枚組み合わせることによって１畳のたたみスペース５を形成している。組み合わせたたたみ要素３が本体７となる。
たたみ要素３は丸洗い可能で、速乾性ないし撥水性に優れる化学繊維ないし合成樹脂材料によって構成されている。具体的には、図４に示すようにたたみ９を構成する芯材としてプラスチックフォーム（発泡体）１１、その上面及び下面にポリプロピレン（ＰＰ）製の補強板１３、上面側の補強板１３の上にプラスチック複合材１５、下面側の補強板１３の下に裏面シート１７をそれぞれ積層したものを使用する。
【００１３】
また、たたみ９に対して、その表面及び側面を完全に被覆し、たたみ９の裏面にその一部が達して固定されるたたみ表１９が貼設され、更に対向する２辺には化粧布によって構成されるたたみ縁２１が設けられている。
たたみ表１９としては東レ（株）製の化学たたみ表が一例として使用できる。
このようなたたみ要素３はたたみ縁２１を揃えた状態で２枚組み合わされ、１畳タイプの本体７として使用される。
【００１４】
本体７の周囲には平面視コの字状の枠要素２３を２個組み合わせ、全体として平面視矩形状の額縁様の支持枠２５が設けられている。
枠要素２３の断面形状は、図４に示すように略直角三角形状をしており、床面Ｆに直接載置される載置面２７と、畳要素３の側縁に当接し、これを保持する保持面２９と、床面Ｆと本体７の上面との間の段差をなくすスロープとして作用する傾斜面３１とを有している。
また枠要素２３の長さ方向の端面はもう一方の枠要素２３と組み合わせて使用する場合の接合面３３となっている。
【００１５】
傾斜面３１には滑り止め用の溝３５が枠要素２３の長さ方向に平行に延びるよう、複数本刻設されており、載置面２７には後述する底板要素４３の周縁部を受け入れる段差凹部３７が形成されている。
また、保持面２９の接合面３３寄りの部位には、図５に示すように枠要素２３同士を接合する場合に必要に応じて使用される接合金具３９を受け入れる受入れ凹部４１が形成されている。
枠要素２３の材料としてはタモ材等の木材が一例として使用される。
【００１６】
支持枠２５の内部に形成される平面視矩形状のスペースは本体７の収容スペースとなる部分であり、その底面には前記段差凹部３７に対して係合するように設けられる２枚の底板要素４３から成る底板４５が設けられる。
底板要素４３の材料としては塩化ビニル樹脂製の３ｍｍ程度の厚さを有する板材が一例として使用でき、大きさとしては段差凹部３７の幅寸法分、たたみ要素３より一回り大きなサイズとなっている。
底板要素４３と支持枠２５との固定は固定ビス４７によって行なわれ、固定ビス４７の頭には床面Ｆに当接した場合の床面Ｆに対するキズを防止する一例として円形の保護シート４９が貼設されている。
また底板要素４３の突合せ部５１には、突合せ部５１からの水等の漏出を防止する防水テープ５３が貼設される。
【００１７】
次にこのようにして構成される載置式たたみユニット１の設置の手順、使用時のメンテナンス及び保管の方法について説明する。
最初に準備作業として枠要素２３の載置面２７に形成された段差凹部３７に対して底板要素４３を係合させ、固定ビス４７によって固定し固定ビス４７の頭を保護シート４９によって被覆しておく。
そして、載置式たたみユニット１を設置する位置と方向を決めて、枠要素２３を床面Ｆ上に載置する。２個の枠要素２３の接合面３３を当接させ、平面視矩形状の支持枠２５を形成した後、防水テープ５３を底板要素４３の突合せ部５１に貼設する。
【００１８】
更に強度が必要な場合には、接合金具３９を受入れ凹部４１に嵌め、木ネジ等で固定する。
次に、半畳サイズのたたみ要素３をたたみ縁２１が揃うように２枚、支持枠２５内に形成されている収容スペース内に嵌め込めば載置式たたみユニット１の設置は完了する。
【００１９】
このような載置式たたみユニット１上で失禁等があった場合は、たたみ要素３の撥水性等によってたたみ９内への尿等の進入は防止されている。
また、底板要素４３の突合せ部５１には、防水テープ５３が貼設され、しかも支持枠２５の存在により、尿等が床面Ｆへ流出するのを完全に防止できる。
上記失禁や車椅子等で走行することによって生じるたたみ要素３表面の汚れは支持枠２５からたたみ要素３を取り出し、水や湯等によってそのまま丸洗いすればよく、たたみ要素３の優れた撥水性と速乾性により短時間で乾かすことができる。この際、たたみ要素３は半畳サイズで軽量、コンパクトであるから、持ち運びや洗浄を容易に行なうことができる。
また、床面Ｆのすべてをフローリングとして使用したい場合には、設置の場合と逆の手順により載置式たたみユニット１を分解し、コンパクトにした状態で次の使用に備えて物置等に保管しておけばよい。
【００２０】
以上、本発明の実施の形態について詳述してきたが、具体的な構成はこの実施の形態に限られるものではなく、本発明の要旨を逸脱しない範囲における設計の変更などがあっても本発明に含まれる。
例えば、枠要素２３としては図６（ａ）に示すように平面視Ｌ字形や図６（ｂ）に示すように直棒状のものであっても構わない。そしてこれらの形状の枠要素２３を適宜組み合わせることによって図７（ａ）、（ｂ）に示すように半畳のたたみスペース５を有する載置式たたみユニット１としたり、図７（ｃ）〜（ｅ）に示すように２畳、３畳、４畳半といった更に大きなたたみスペース５を有する載置式たたみユニット１とすることも可能である。
また、載置式たたみユニット１の設置個所は図７（ａ）に示すように部屋の周縁、図７（ｂ）に示すように部屋の隅部、その他部屋の中央の適宜の個所が選択可能である。
【００２１】
たたみ要素３としては稲藁やい草等の天然素材を材料とする本格的なたたみの構成を採用することも可能であるし、枠要素２３の材料としては木材の他、硬質のプラスチック材料や軟質のゴム材料等を使用することも可能である。
また滑り止め用に傾斜面３１に設けた溝３５の形状は直線状に限らず、自動車のタイヤの表面に形成されているグリッドパターンのようにジグザグ状や湾曲した形状であってもよい。また溝３５に代えて滑り止め用の突起を設けたり、高い摩擦力を有するゴムシート等を貼設する構成であってもよい。
この他、本発明の載置式たたみユニット１は床面Ｆ上に直接設ける他、じゅうたんやマット等を介して設けたり、和室において当初から据え付けられているたたみの上に重ねて設置することも可能である。
上記実施の形態では、枠要素２３どうしを連結するのに、接合金具３９を用いているが本発明はこれに限定されず、かすがい等の他の連結用の金具を用いて枠要素２３どうしを連結してもよい。
【００２２】
【発明の効果】
本発明によれば、既存の部屋の構造に何ら手を加えることなく、極めて安価に、しかも使用者の好みや使用環境等に応じて簡単に短時間で設置でき、メンテナンスも容易に行なえる載置式たたみユニットを提供することが可能となる。
【図面の簡単な説明】
【図１】本発明の実施の形態に係る載置式たたみユニットを示す分解斜視図である。
【図２】図１の載置式たたみユニットの平面図である。
【図３】図１の載置式たたみユニットの底面図である。
【図４】図１の載置式たたみユニットにおけるたたみ要素及び枠要素の一部を拡大して示す側断面図である。
【図５】図１の載置式たたみユニットにおける枠要素の接合部周辺を拡大して示す平面図である。
【図６】枠要素の形状を異にする他の２種の形態を示す平面図である。
【図７】枠要素の種々の組合せ態様を示す平面図である。
【符号の説明】
１  載置式たたみユニット      ３  たたみ要素
５  たたみスペース            ７  本体
９  たたみ                    １１  プラスチックフォーム（発泡体）
１３  補強板                  １５  プラスチック複合材
１７  裏面シート              １９  たたみ表
２１  たたみ縁                ２３  枠要素
２５  支持枠                  ２７  載置面
２９  保持面                  ３１  傾斜面
３３  接合面                  ３５  溝
３７  段差凹部                ３９  接合金具
４１  受入れ凹部              ４３  底板要素
４５  底板                    ４７  固定ビス
４９  保護シート              ５１  突合せ部
５３  防水テープ                Ｆ  床面
【図１】
2004197352.tif 000003
【図２】
2004197352.tif 000004
【図３】
2004197352.tif 000005
【図４】
2004197352.tif 000006
【図５】
2004197352.tif 000007
【図６】
2004197352.tif 000008
【図７】
2004197352.tif 000009